(57)【特許請求の範囲】
【請求項１】
管理センター装置と共同溝の各溝口に設置される溝管理装置とがネットワークで接続され、
前記管理センター装置側に設けられたカードライターを用いて、入溝申請書に基づいて業者名，入溝申請期間および対象溝口などを書込んだＩＣカードを発行したとき、前記共同溝の申請溝口に対応する宛先アドレスを含んだ当該ＩＣカードのカードデータを伝送するとともに、前記管理センター装置が前記ＩＣカードの発行後にカード紛失届に基づいて不正カードと認定されたカード番号を全溝口の前記溝管理装置に伝送し、
当該宛先アドレスをもつ前記溝管理装置のカードリーダは、当該カードリーダに前記管理センター装置から伝送されてくるＩＣカードのカードデータを記憶するとともに、ＩＣカードのカードデータと既に伝送記憶されているカードデータとから少なくとも入溝申請業者およびカード番号の比較の他、入溝申請期間から有効期限内であるか判断し、かつ、前記不正カードと認定されたカード番号による前記ＩＣカードの不正な使用でなければ該当溝口の扉を開閉するとともに、扉の開閉時に前記入溝申請業者を含む管理に必要な入溝情報および出溝情報を前記管理センター装置側に伝送し、また前記ＩＣカードのカード紛失届による不正カードと認定された該当ＩＣカードが装着されたとき、前記管理センター装置に警報データを伝送し、
前記管理センター装置は、警報データを受けたとき、外部に警報信号を出力することを特徴とする共同溝管理システム。
【請求項２】
管理センター装置と共同溝の各溝口に設置される溝管理装置とがネットワークで接続され、
前記管理センター装置は、
入溝申請書に基づいてＩＣカードに書込む入溝申請業者名、入溝申請期間および対象溝口などのカードデータを記憶するＩＣカードデータ記憶手段と、この記憶手段に記憶されるカードデータを書込むカードライターと、前記ＩＣカードが前記カードライターにセットされたとき、前記ＩＣカード記憶手段から前記カードデータを取り出してカードライターに送出して書き込み制御を行なうとともに、前記共同溝の申請溝口に対応する宛先アドレスを含んだ当該カードデータを当該宛先アドレスをもつ溝口の溝管理装置に伝送するカードデータ書込制御手段と、前記ＩＣカードの発行後に当該ＩＣカードのカード紛失届に基づいて不正カードと認定されたカード番号を前記溝管理装置に伝送する手段とを有し、
前記各溝管理装置は、
前記管理センター装置から伝送されてくるカードデータに含む宛先アドレスから自己宛てのとき、当該カードデータを取込んで記憶する手段と、前記ＩＣカードがセットされたとき、このＩＣカードのカードデータと既に伝送記憶されているカードデータとから少なくとも入溝申請業者およびカード番号の比較の他、入溝申請期間から有効期限内であるかを判断し、かつ、前記管理センター装置から伝送されてくる不正カードと認定されたカード番号による前記ＩＣカードの不正な使用でなければ該当溝口の扉を開閉するとともに、扉の開閉時に前記入溝申請業者を含む管理に必要な入溝情報および出溝情報を前記管理センター装置側に伝送する手段と、前記ＩＣカードのカード紛失届による不正カードと認定された該当ＩＣカードが装着されたとき、当該ＩＣカードの不正な使用と判断し、前記管理センター装置に警報データを伝送する警報データ伝送手段とを備えたカードリーダを有し、
前記管理センター装置は、警報データを受けたとき、外部に警報信号を出力することを特徴とする共同溝管理システム。
【請求項３】
請求項１又は請求項２に記載の共同溝管理システムにおいて、
前記各溝管理装置のカードリーダは、
火災検知その他の異常検知センサから異常を受けたとき、緊急程度の大小を表すデータをもつ緊急データを前記管理センター装置に伝送する手段を設け、
前記管理センター装置は、
前記緊急データを受けたとき、その緊急程度の大小に応じて電子錠の一斉解施錠データまたは個別溝口の解施錠データを伝送する手段を設け、
前記溝管理装置のカードリーダに対して電子錠の解施錠を指示することを特徴とする共同溝管理システム。
【発明の詳細な説明】
【０００１】
【発明の属する技術分野】
本発明は、公共性の高い共同溝のセキュリティおよび維持管理のための共益費の課金などの管理を行なう共同溝管理システムに関する。
【０００２】
【従来の技術】
公共性の高い共同溝は、都市生活に必要なインフラが集中的に収納されている場所であり、その機能を維持するためにはインフラを提供する業者による共同溝の保守・点検作業が不可欠である。しかし、共同溝への頻繁な入出を認めると、共同溝の中から破壊活動や第三者によるいたずらが横行し、都市生活にも悪影響を与える問題がある。
【０００３】
そこで、公共性の高い共同溝においては、共同溝の入出に対して高度なセキュリティが求められ、さらに共同溝内の点検作業上必要な電気代や水道代などの公益費を含む共同溝の維持管理から、入・出溝業者に按分の負担が求められるケースが多い。
【０００４】
従来、このような共同溝のセキュリティおよび維持管理に際し、次のような管理形態がとられている。
入・出溝業者は、入溝申請書を作成して共同溝管理者に提出し、共同溝管理者から共同溝の入出の許可を受け、鍵を借り受ける。入・出溝業者は、借り受けた鍵を用いて共同溝の指定入出口の扉を開閉し、共同溝の入出を行なっている。一方、共同溝管理者は、鍵の貸出し／返却を台帳などに記録し管理し、必要に応じて共同溝の維持管理などの面から課金する場合には、その課金情報も台帳などに記録し管理する。
【０００５】
【発明が解決しようとする課題】
ところで、以上のような鍵を用いた入・出溝の管理の場合には、次のような問題が指摘されている。
（１）  以上のような鍵を用いた場合、管理者側は共同溝への実際の入溝時間と出溝時間が把握できないこと。その結果、正確な在溝時間が計算できず、ひいては公正な課金が難しい問題がある。
（２）  また、管理者側は、借し出した後の鍵の使用状況を把握できない。その結果、例えば管理者の知らないところで容易に合鍵が作製でき、その合鍵を使用すれば管理者側に申請せずに共同溝に入出できる状態となり、入出溝の管理の意味が失われる可能性がある。
（３）  さらに、鍵を紛失することがあるが、その鍵の取得者がどの入溝口の鍵であるかが分かったとき、無断使用される恐れがあること。そのため、入・出溝業者および共同溝の管理者は紛失した鍵を徹底的に探すか、直ぐに鍵を交換しなければならない問題がある。
【０００６】
本発明は上記事情に鑑みてなされたもので、共同溝の確実なセキュリティの確保および共同溝内の的確な状況把握を実現する共同溝管理システムを提供することにある。
【０００８】
【課題を解決するための手段】
上記課題を解決するために、請求項１，２に対応する発明は、管理センター装置と共同溝の各溝口に設置される溝管理装置とがネットワークで接続され、
前記管理センター装置は、入溝申請書に基づいてＩＣカードに書込む入溝申請業者名、入溝申請期間および対象溝口などのカードデータを記憶するＩＣカードデータ記憶手段と、この記憶手段に記憶されるカードデータを書込むカードライターと、前記ＩＣカードが前記カードライターにセットされたとき、前記ＩＣカード記憶手段から前記カードデータを取り出してカードライターに送出して書き込み制御を行なうとともに、前記共同溝の申請溝口に対応する宛先アドレスを含んだ当該カードデータを当該宛先アドレスをもつ溝口の溝管理装置に伝送するカードデータ書込制御手段と、前記ＩＣカードの発行後に当該ＩＣカードのカード紛失届に基づいて不正カードと認定されたカード番号を前記溝管理装置に伝送する手段とを有し、
前記各溝管理装置は、前記管理センター装置から伝送されてくるカードデータに含む宛先アドレスから自己宛てのとき、当該カードデータを取込んで記憶する手段と、前記ＩＣカードがセットされたとき、このＩＣカードのカードデータと既に伝送記憶されているカードデータとから少なくとも入溝申請業者およびカード番号の比較の他、入溝申請期間から有効期限内であるかを判断し、かつ、前記管理センター装置から伝送されてくる不正カードと認定されたカード番号による前記ＩＣカードの不正な使用でなければ該当溝口の扉を開閉するとともに、扉の開閉時に前記入溝申請業者を含む管理に必要な入溝情報および出溝情報を前記管理センター装置に伝送する手段と、前記ＩＣカードのカード紛失届による不正カードと認定された該当ＩＣカードが装着されたとき、当該ＩＣカードの不正な使用と判断し、前記管理センター装置に警報データを伝送する警報データ伝送手段とを備えたカードリーダを有し、  前記管理センター装置は、警報データを受けたとき、外部に警報信号を出力する共同溝管理システムである。
【０００９】
本発明は以上のような手段を講じたことにより、管理センター装置側は、ＩＣカードに所定のカードデータを記録するとともに、このＩＣカードのカードデータを対象入出溝口設置の溝管理装置に伝送するので、入出溝業者がＩＣカードを所持し、溝管理装置のカードリーダにセットすれば、カードリーダがＩＣカードのカードデータと既に管理センター装置から伝送されているカードデータを比較し、適正な入出溝業者であると判断し、扉の電子錠を解錠するので、共同溝の確実なセキュリティを確保することができる。また、既に発行したＩＣカードについては、カード紛失届に基づいて不正カードと認定されたカード番号を溝管理装置に伝送し、当該溝管理装置側のカードリーダは、ＩＣカードのカード紛失届による不正カードと認定された該当ＩＣカードが装着されたとき、当該ＩＣカードの不正な使用と判断し、前記管理センター装置に警報データを伝送し、管理センター装置は、警報データを受けたとき外部に警報信号を出力するので、共同溝の管理上の異常を的確に知り得、迅速に適切な処置を講じることができる。
【００１２】
請求項３に対応する発明は、前記各溝管理装置のカードリーダは、火災検知その他の異常検知センサから異常を受けたとき、緊急程度の大小を表すデータをもつ緊急データを前記管理センター装置に伝送する手段を設け、前記管理センター装置は、前記緊急データを受けたとき、その緊急程度の大小に応じて電子錠の一斉解施錠データまたは個別溝口の解施錠データを伝送する手段を設け、前記溝管理装置のカードリーダに対して電子錠の解施錠を指示する構成であるので、請求項１又は請求項２に対応する発明と同様の作用効果を奏する他、共同溝内の火災、温度上昇、ガス漏れなどの災害時に管理センター装置から共同溝の各入出溝口の自動解施錠を行なうことができ、救助隊や消防隊による迅速な対応を取ることができる。
【００１５】
【発明の実施の形態】
（第１の実施の形態）
図１は本発明に係る共同溝管理システムの一実施の形態を示す構成図である。
【００１６】
この共同溝管理システムは、ＩＣカードを発行する管理センター装置１と、各入出溝口に設置され入出溝業者の入出を管理する溝管理装置２，…とが例えばイーサネットなどのＬＡＮ３を介して接続されている。４は共同溝の付帯設備監視装置であって、電源のオン・オフ、換気制御その他必要に応じて共同溝の温度制御等の制御監視を行なう機能をもっている。
【００１７】
この管理センター装置１は、入溝申請書に基づいて予め所定のＩＣカード書込用カードデータが登録されるＩＣカード用データベース１１と、入・出溝業者による入溝申請書の受付けに基づいて、ＩＣカード用データベース１１からＩＣカード書込み用データを読み出して書込み制御を実施し、かつ、入出溝口の宛先アドレスデータとともにＩＣカード書込み用データを入出溝口設置の溝管理装置２，…に伝送する例えばワークステーションなどのカードデータ処理装置１２と、このカードデータ処理装置１２のデータ書込み制御の下にデータが記録されていない任意のＩＣカード１３（以下、ＩＣカード鍵と指称する）にＩＣカード用データベース１１に記憶されるカードデータを順次書き込むカードライタ１４とが設けられている。
【００１８】
前記各入出溝口に設置される各溝管理装置２，…は、ネートワーク５に接続され、管理センター装置１との間でデータの授受を行なう伝送装置２１と、管理センター装置１から伝送装置２１を通して送られてくるカードデータを記憶する一方、入溝する際にＩＣカード鍵１３の内容と伝送記憶されるＩＣカードデータとを比較して入溝口の扉に取り付けられる電子錠を解錠するとともに、必要な情報を管理センター装置１に伝送する入溝用カードリーダ２２と、出溝する際にＩＣカード鍵１３の内容と記憶されたＩＣカードデータとを比較し、出溝口の扉に取り付けられる電子錠を解錠するとともに、必要な情報を管理センター装置１に伝送する出溝用カードリーダ２３とが設けられている。これら入溝口側扉および出溝口側扉にそれぞれ電子錠２４，２５が設けられている。
【００１９】
なお、入溝口と出溝口とが異なる場所にある場合にはそれぞれの場所の扉に入溝用カードリーダ２２と出溝用カードリーダ２３を設置するが、例えば同一の場所の場合には同一の扉の表側にば入溝用カードリーダ２２が設置され、裏側に出溝用カードリーダ２３が設置される。
【００２０】
次に、以上のように構成された共同溝管理システムの動作について説明する。
入溝申請業者は、入溝前に管理センターにＩＣカード鍵１３を借りに行く。このとき、入溝申請業者は、図２の（イ）に示す所定の内容を記載した入溝申請書（ロ）を作成し管理センターに提出する。ここで、管理センターの担当者は、カードデータ処理装置１２を用いて、入溝申請書の申請内容と管理センター側で付加すべきデータとを加えてなる解施錠データ，つまりカードデータを入力する。この入力されたカードデータはＩＣカード用データベース１１に登録される。同図の（ハ）は管理センター側のＩＣカード用データベース１１に登録されたＩＣカード用カードデータを示す。
【００２１】
以上の状態において管理センターの担当者は、カードデータの記録されていない任意のＩＣカードをカードライター１４に装着した後、カード書き込み指示を入力する。そうすると、カードデータ処理装置１２は、ＩＣカード用データベース１１からＩＣカード用カードデータを読み出し、カードライター１４に対してカードデータを送出し、書き込み制御を実行する。ここで、カードライター１４は装着されたＩＣカードの予め定める所定の位置にカードデータを順次書き込み、ＩＣカード鍵１３を作製する。
【００２２】
以上のようにして特定の入出溝口に対してのみ有効期限付きで有効であり、かつ、カード申請業者および維持管理費を支払う課金業者が書き込まれたＩＣカード鍵１３が作製される。図示（ニ）はＩＣカード鍵１３に登録されたカードデータの例である。
【００２３】
なお、カートデータ処理装置１２およびカードライター１４によるＩＣカードへの書き込みと同時に当該書き込んだカードデータをＬＡＮ３および溝側ネットワーク５を介して該当入出溝口に設置される溝管理装置２に伝送する。
【００２４】
ここで、溝管理装置２は、自己宛送信アドレスに基づいてカードデータを取込み、入溝用カードリーダ２２および出溝用カードリーダ２３の記憶媒体（図示せず）にそれぞれ記憶する。
【００２５】
しかして、以上のようにして作製されたＩＣカード鍵１３は、外見上から見た場合でもどの入出溝口の鍵であるか判断できず、管理者と入溝申請業者からなる関係者のみしかカード内容を知ることができない。
【００２６】
このＩＣカード鍵１３を用いて共同溝に入溝するときは、入溝口設置の入溝用カードリーダ２２にセットし、ＩＣカード鍵１３のカードデータを読込ませる。この入溝用カードリーダ２２は、予め管理センター装置１側から伝送され記憶されているカードデータとＩＣカード鍵１３から読込んだカードデータとを比較し、当該入溝口用鍵であって、かつ、有効期限内にあるとき、当該ＩＣカード鍵１３は有効であると判断し、入溝口設置の電子錠２４を解錠し、例えば解錠時刻、入溝申請業者名および課金業者名を入溝情報とし、伝送装置２１から管理センター装置１に伝送する。この管理センター装置１は、溝管理装置２から伝送されてくる入溝情報をＩＣカード用データベース１１に記憶する。
【００２７】
一方、出溝する際は、出溝口設置の出溝用カードリーダ２３にＩＣカード鍵１３をセットし、ＩＣカード鍵１３のカードデータを読込ませる。ここで、出溝用カードリーダ２３は、ＩＣカード鍵１３のカードデータと既に記憶されているカードデータとを比較し、ＩＣカード鍵１３が有効であると確認すれば、出溝口設置の電子錠２５を解錠する。そして、前述と同様に、例えば解錠時刻と、入溝申請業者名および課金業者名を出溝情報とし、伝送装置２１から管理センター装置１に伝送する。この管理センター装置１は、溝管理装置２から伝送されてくる出溝情報をＩＣカード用データベース１１に記憶する。なお、扉は、入溝時および出溝時に扉を閉めれば、自動的に施錠されるようになっている。
【００２８】
そして、共同溝の点検作業などの終了後、入溝業者がＩＣカード鍵１３を返却すると、管理センターの担当者は、ＩＣカード鍵１３をカードライター１４にセットすると、カードデータ処理装置１２およびカードライター１４を用いて、ＩＣカード鍵１３に既に登録されている解施錠情報であるカードデータを消去する。このとき、カードデータ処理装置１２は、申請対象となった入出溝口に設置される入溝用カードリーダ２２および出溝用カードリーダ２３にも消去指令を伝送する。その結果、これらリーダ２２，２３に記憶されているカードデータも消去される。これにより、鍵そのものが消滅するので、不正使用を起こすことがない。また、ＩＣカードは、データの消滅によって再使用できる。
【００２９】
従って、以上のようなＩＣカードを用いた共同溝管理システムの実施の形態によれば、ＩＣカード鍵１３を借り出した者が合鍵を作成することができないばかりか、万一、ＩＣカード鍵１３を紛失した場合でもどこの入出溝口の鍵か分からない.。しかも、有効期限が過ぎれば、自然に鍵の機能を失うので、完璧なセキュリティを確保できる。また、利用期間中であっても、紛失届けがあった段階でカードの無効を全ての入溝用カードリーダ２２および出溝用カードリーダ２３に伝送し記憶すれば、どこかの入出溝口でＩＣカード鍵１３を使用しても、無効と判断され、電子錠２４，２５が動作しないばかりか、不正カードの使用情報を管理センター装置1に伝送することになり、カード使用の入出溝口の場所に急行でき、ひいてはカードの取得使用者を容易に発見できる。
（第２の実施の形態）
図３は本発明に係わる共同溝管理システムのうち、特に溝管理装置２の他の実施の形態を説明するフローチャートである。
【００３０】
この実施の形態は、入溝用カードリーダ２２または出溝用カードリーダ２３に図４に示すような処理用プログラムを設けることにより、よりセキュリティ機能を高めることにある。
【００３１】
このセキュリティ処理用プログラムによる一連の処理例を説明する。
すなわち、例えばカードリーダ２３は、所定周期ごとにカード装着有りかを判断し（ＳＴ１）、カード装着なしと判断されたとき、扉開信号有りかを判断する（ＳＴ２）。ここで、ＩＣカード鍵１３が装着されていないのに扉開信号が入力されているとき、ＩＣカード以外例えば何らかの解錠を試みて扉開としたか、錠の破壊による扉開となったと判断し、伝送装置２１を介して管理センター装置１に警報データが伝送する（ＳＴ３）。
【００３２】
また、ステップＳＴ１においてカード装着有りと判断されたとき、前述したようにＩＣカード鍵１３のカードデータと既に記憶されているカードデータとを比較し条件成立の有無を判断する（ＳＴ４）。ここで、カードが装着されたにも拘らず、条件不成立と判断されたとき、事故カードまたは何らかの不正カードの使用と判断し（ＳＴ５）、伝送装置２１を介して管理センター装置１に警報データが伝送する。
【００３３】
ステップＳＴ４において条件成立と判断されたときには、解錠処理を実行する（ＳＴ６）。しかる後、所定時間後に電子錠２４，２５が解錠されたか否かを判断する（ＳＴ７）。ここで、電子錠２４，２５が解錠されないとき、電子錠の施錠異常であると判断し（ＳＴ８）、伝送装置２１を介して管理センター装置１に警報データが伝送する（ＳＴ３）。
【００３４】
さらに、ステップＳＴ７において電子錠２４，２５の解錠と判断されたとき、前述したように所定の情報例えば解錠時刻と、入溝申請業者名および課金業者名などを伝送する（ＳＴ８）。
【００３５】
この電子錠２４，２５の解錠後、時間を計測し、所定の設定時間を経過しても扉が閉まらないときには設定時間タイムオーバと判断し（ＳＴ９）、伝送装置２１を介して管理センター装置１に警報データが伝送する（ＳＴ３）。
【００３６】
管理センター装置1側では、以上のような警報データを受信すると、スピーカなどの音声発生装置、異常表示用ランプまたは表示装置に何れの入出溝口で異常が発生したかを報知するので、異常の場所に迅速に急行でき、速やかに適切な処理を講じることができる。
（第３の実施の形態）
図４は本発明に係わる共同溝管理システムのうち、特に管理センター装置１の他の実施の形態を示す構成図である。
【００３７】
この実施の形態は、緊急避難時に電子錠を自動解錠する実施の形態例である。
入出溝管理システムのうち、入溝用カードリーダ２２または出溝用カードリーダ２３内に、例えば複数の個所に設置される複数の火災検知センサ、複数の温度センサ、複数のガス漏れセンサその他必要なセンサと、これらセンサの出力信号を順次取込むマルチプレクサと、このマルチプレクサで取込んだ火災検知センサ、温度センサ、ガス漏れセンサその他のセンサごとに所定のレベルが設定され、センサの出力レベルが設定レベルを越えたとき緊急事態と判断し、かつ、例えば所定個数例えば２つのセンサ出力レベルが設定レベルを越えたとき緊急程度が小、所定個数例えば３つ以上のセンサ出力レベルが同時に設定レベルを越えたとき緊急程度が大と判断し、通常処理に対して割込みを行なって緊急データをセンター装置１側に伝送する
一方、センター装置１においては、例えば図４に示すような構成要素が付加されている。すなわち、各入出溝口側伝送装置２１から送られてくる緊急データを受信したとき、警報またはランプ点灯を行なう緊急出力手段と、この警報またはランプ点灯を確認した後、管理センター担当者が緊急指示を入力したとき、或い自動的に緊急処理を実行するための緊急処理用プログラムを記憶する緊急処理用プログラム記憶媒体３１と、この緊急処理用プログラムに従って緊急処理を実行するＣＰＵなどで構成された緊急処理手段１２ａと、緊急時の相手宛先アドレスおよび緊急指示データなどを記憶する緊急処理用データテーブル３２とが設けられている。３３は表示部、３４は入力機器である。
【００３８】
従って、管理センター装置１においては、例えば入出溝口ＮＯ．１の伝送装置２１から緊急程度データをもつ緊急データを受信すると、カードデータ処理装置１２の緊急出力手段が警報またはランプを点灯し、緊急事態である旨を報知する。ここで、センター側担当者が緊急指示を入力するか、緊急データ入力に伴って自動的に緊急処理手段１２ａを実行する。この緊急処理手段１２ａは、記憶媒体３１から緊急処理用プログラムを読み出し、プログラム処理を実行する。つまり、緊急程度データから緊急程度が小さい場合、図５に示す緊急処理用データテーブル３２から入出溝口ＮＯ．１に対する個別宛先アドレスと、入出溝口ＮＯ．１解施錠データを読み出し、少なくとも個別宛先アドレス、センター側送信元アドレス、入出溝口ＮＯ．１解施錠データをもったフレーム形式データを伝送し、入出溝口ＮＯ．１に対する電子錠２４，２５の個別解施錠を行なう。
【００３９】
一方、緊急程度データから緊急程度が大きいと判断した時、緊急処理用プログラムに従って緊急用データテーブル３２から同報アドレスおよび一斉解施錠せよの指示データを取り出し、同様に少なくとも同報アドレス、センター側送信元アドレス、全入出溝口一斉解施錠せよのデータを送信し、全電子錠の一斉解施錠の指示を与え、全電子錠を一斉に解錠する。
【００４０】
従って、以上のような実施の形態によれば、共同溝内で火災が発生した時の緊急避難時、その緊急の程度に応じて入出溝口設置の電子錠を個別または全部を解錠することにより、緊急時に救助隊や消防隊が容易に入溝可能となり、被害の拡大を未然に防ぐことができる。
（第４の実施の形態）
図６は本発明に係わる共同溝管理システムのうち、特に管理センター装置の他の実施の形態を示す構成図である。
【００４１】
この実施の形態は、課金データを自動的に作成するための実施形態例である。
この管理センター装置１は、ＣＰＵで構成されるカードデータ処理装置１２に課金処理用プログラムを記憶する課金処理用プログラム記憶手段４１と、課金データテーブル４２とが接続され、さらにカードデータ処理装置１２内に課金処理用プログラムを用いて課金処理を行なう課金処理手段１２ｂが設けられている。４３はプリンタなどの出力装置である。
【００４２】
課金データの作成時、次のような一連の処理を実行する。ＩＣカード鍵１３を用いて入出溝を行なった時、前述したように溝入出管理装置２側から入溝情報および出溝情報が伝送され、管理センター装置１のＩＣカード用データベース１１に格納されている。
【００４３】
そこで、カードデータ処理装置１２は、課金データの作成時または入・出溝情報の格納時に図７に示す課金データテーブル４２に課金業者単位に入出溝した回数と在溝時間とを格納する。しかる後、この在溝時間を分単位に変換し、予め定める分単位課金額とを乗算し、各入出溝ごとに順次課金額を計算し課金データテーブル４２に格納する。
【００４４】
そして、課金業者との取決めに基づき、課金業者単位に日集計、月集計、または年集計などを行ない、所定のフォーマットの所定の項目に必要な事項を順次記載し、課金集計票を作成し、出力装置４４から出力する。
【００４５】
従って、以上のような実施の形態によれば、課金データの作成時、ＩＣカード用データベース１１に格納されるデータに基づいて在溝時間に対する課金額を計算し、日集計、月集計、または年集計の形で課金集計票を出力するので、従来のように特別の台帳を用意することなく、また管理者が作成することなく、短時間に自動的に課金集計票を作成でき、管理事務の合理化を図ることができる。
（その他の実施の形態）
システムの故障、伝送エラーなどで入溝情報、出溝情報のデータエラーを起こしたとき、または欠落したとき、作業業者がＩＣカード鍵１３を返却するとき、作業業者から聞き取りながらＩＣカード用データベース１１に格納できるので、入溝情報と出溝情報を修復／作成でき、公正な課金データを保存管理できる。
【００４６】
また、点検作業員の酸欠防止の観点から、付帯設備監視装置４が所定のスケジュールに従って換気ファンを運転するが、日々変わる作業場所に対応する換気ファンの運転スケジュールの設定を、入溝申告データを元にカードデータ処理装置１２が運転スケジュールを作成し、付帯設備監視装置４に伝送するようにすれば、付帯設備監視オペレータの作業を大幅に軽減できる。
【００４７】
【発明の効果】
以上説明したように本発明によれば、共同溝の確実なセキュリティを確保でき、また共同溝の異常を的確に把握することができる共同溝管理システムを提供できる。
【図面の簡単な説明】
【図１】  本発明に係わる共同溝管理システムの一実施の形態を示す構成図。
【図２】  ＩＣカードを発行する過程を説明する図。
【図３】  本発明に係わる共同溝管理システムの他の実施の形態の動作を説明するフローチャート。
【図４】  本発明に係わる共同溝管理システムのうち、管理センター装置の他の実施の形態を示す構成図。
【図５】  図４に示す緊急処理用データテーブルのデータ配列図。
【図６】  本発明に係わる共同溝管理システムのうち、管理センター装置の他の実施の形態を示す構成図。
【図７】  図６に示す課金データテーブルのデータ配列図。
【符号の説明】
１…管理センタ装置、２…溝管理装置、１１…ＩＣカード用データベース、１２…カードデータ処理装置、１３…ＩＣカード（ＩＣカード鍵）、１４…カードライター、２２，２３…カードリーダ、２４，２５…電子錠。
【図１】
0003724914.tif 000002
【図２】
0003724914.tif 000003
【図３】
0003724914.tif 000004
【図４】
0003724914.tif 000005
【図５】
0003724914.tif 000006
【図６】
0003724914.tif 000007
【図７】
0003724914.tif 000008